(57)【要約】【課題】梁、天井などの上部構造部材や、スラブなどの下部構造部材に撓みが発生した際に、間仕切壁の破損を防止できる間仕切壁構造を提供する。【解決手段】上部構造部材１と下部構造部材３の間に形成された建物の内部空間Ｈを区画するための間仕切壁の構造Ｂであって、断面コ字状に形成され、開口部を下方に向けて上部構造部材１に固定して設けられた上部ランナー１０と、下部構造部材３に固定して設けられた下部ランナー４と、開口部から上部ランナー１０に上端部５ａを嵌合するとともに、下端部５ｂを下部ランナー４に固定して設けられたスタッド５と、スタッド５に取り付けられて内部空間Ｈを区画する間仕切壁パネル７、８とを備え、スタッド５の上端部５ａと上部ランナー１０の上下方向の間に隙間Ｔを設けて構成する。【選択図】図２
2012251394.tif 000002
【特許請求の範囲】
【請求項１】
上部構造部材と下部構造部材の間に形成された建物の内部空間を区画するための間仕切壁の構造であって、
断面コ字状に形成され、開口部を下方に向けて前記上部構造部材に固定して設けられた上部ランナーと、前記下部構造部材に固定して設けられた下部ランナーと、前記開口部から前記上部ランナーに上端部を嵌合するとともに、下端部を前記下部ランナーに固定して設けられたスタッドと、前記スタッドに取り付けられて前記内部空間を区画する間仕切壁パネルとを備えており、
前記スタッドの上端部と前記上部ランナーの上下方向の間に隙間を設けて構成されていることを特徴とする間仕切壁構造。
【請求項２】
請求項１記載の間仕切壁構造において、
前記上部構造部材の変形量に応じて前記隙間の大きさが設定されていることを特徴とする間仕切壁構造。
【請求項３】
請求項１または請求項２に記載の間仕切壁構造において、
前記開口部から嵌合して前記上部ランナーに固定し、前記スタッドの上端部側及び前記隙間を挟み込むように設置された補強・位置決め部材を備えていることを特徴とする間仕切壁構造。
【発明の詳細な説明】
【技術分野】
【０００１】
本発明は、間仕切壁の構造に関する。
【背景技術】
【０００２】
従来、建物の内部空間を区画するための間仕切壁（間仕切壁構造）Ａは、図５に示すように、梁や天井などの上部構造部材１に取り付けた上部ランナー２と、スラブなどの下部構造部材３に取り付けた下部ランナー４と、上端部を上部ランナー２に、下端部を下部ランナー４に固定して支持され、横方向に間隔をあけて並設された複数のスタッド（間柱）５と、上部ランナー２、下部ランナー４、スタッド５にビス６で止めるなどして取り付け、建物の内部空間Ｈを区画する間仕切壁パネル７、８とを備えて構成されている（例えば、特許文献１参照）。
【０００３】
また、一般に、上部ランナー２と下部ランナー４が断面コ字状に形成され、スタッド５は、開口部を下方に向けて取り付けた上部ランナー２と、開口部を上方に向けて取り付けた下部ランナー４とにそれぞれ、開口部を通じて上端部、下端部を嵌合して固定されている。さらに、例えば間仕切壁Ａが耐火壁である場合には、珪酸カルシウム板や石膏板などの下張り板と上張り板で間仕切壁パネル７、８を形成し、隙間を生じさせないようにして間仕切壁パネル７、８やスタッド５が取り付けられる。
【先行技術文献】
【特許文献】
【０００４】
【特許文献１】特開２００９−２４３１７６号公報
【発明の概要】
【発明が解決しようとする課題】
【０００５】
しかしながら、耐火壁のように隙間を生じさせないようにして間仕切壁パネル７、８やスタッド５が設けられていると、例えば積雪荷重によって、梁、天井などの上部構造部材１（やスラブなどの下部構造部材３）に撓みが発生した際に、スタッド５が座屈し、間仕切壁パネル７、８が破損するおそれがある。また、上部構造部材１や下部構造部材３に撓みが発生することにより、間仕切壁Ａの仕上げの納まりに様々な悪影響を及ぼすことになる。
【０００６】
本発明は、上記事情に鑑み、梁、天井などの上部構造部材や、スラブなどの下部構造部材に撓みが発生した際に、間仕切壁の破損を防止できる間仕切壁構造を提供することを目的とする。
【課題を解決するための手段】
【０００７】
上記の目的を達するために、この発明は以下の手段を提供している。
【０００８】
本発明の間仕切壁構造は、上部構造部材と下部構造部材の間に形成された建物の内部空間を区画するための間仕切壁の構造であって、断面コ字状に形成され、開口部を下方に向けて前記上部構造部材に固定して設けられた上部ランナーと、前記下部構造部材に固定して設けられた下部ランナーと、前記開口部から前記上部ランナーに上端部を嵌合するとともに、下端部を前記下部ランナーに固定して設けられたスタッドと、前記スタッドに取り付けられて前記内部空間を区画する間仕切壁パネルとを備えており、前記スタッドの上端部と前記上部ランナーの上下方向の間に隙間を設けて構成されていることを特徴とする。
【０００９】
また、本発明の間仕切壁構造においては、前記上部構造部材の変形量に応じて前記隙間の大きさが設定されていることが望ましい。
【００１０】
さらに、本発明の間仕切壁構造においては、前記開口部から嵌合して前記上部ランナーに固定し、前記スタッドの上端部側及び前記隙間を挟み込むように設置された補強・位置決め部材を備えていることがより望ましい。
【発明の効果】
【００１１】
本発明の間仕切壁構造によれば、例えば積雪荷重が作用して、梁、天井等の上部構造部材（やスラブなどの下部構造部材）に撓みが発生した場合に、スタッドの上端部と上部ランナーとの上下方向の間に隙間が設けられているため、この隙間の分だけスタッドと上部ランナーの相対移動を許容することができ、前記隙間によって撓みを吸収することができる。これにより、スタッドが座屈し間仕切壁パネル（間仕切壁構造）に破損が生じることを防止できるともに、間仕切壁の仕上げの納まりに悪影響を及ぼすことを防止できる。
【００１２】
また、例えば積雪荷重など、予め想定した外力に基づいて上部構造部材の変形量を求め、この変形量に応じて前記隙間の大きさを設定することにより、より確実に、スタッドが座屈し間仕切壁パネルに破損が生じることを防止でき、また、間仕切壁の仕上げの納まりに悪影響を及ぼすことを防止できる。
【００１３】
さらに、上部ランナーに固定し、スタッドの上端部側及び前記隙間を挟み込むように一対の補強・位置決め部材を設置することで、スタッドの上端部と上部ランナーの間に隙間を設け、スタッドの上端部を上部ランナーに固定していない場合であっても、この部分を補強し、且つ一対の補強・位置決め部材によってスタッドのズレを止めることができる。これにより、前記隙間によって上部構造部材や下部構造部材の撓みを確実に吸収することが可能になる。
【図面の簡単な説明】
【００１４】
【図１】本発明の一実施形態に係る間仕切壁構造を示す斜視図である。
【図２】図１のＸ１−Ｘ１線矢視図であり、本発明の一実施形態に係る間仕切壁構造を示す断面図である。
【図３】図１のＳ部を示す図（図２のＸ２−Ｘ２線矢視図）であり、本発明の一実施形態に係る間仕切壁構造の補強・位置決め部材を示す図である。
【図４】本発明の一実施形態に係る間仕切壁構造を示す断面図である。
【図５】従来の間仕切壁構造を示す斜視図である。
【発明を実施するための形態】
【００１５】
以下、図１から図３を参照し、本発明の一実施形態に係る間仕切壁構造について説明する。
【００１６】
本実施形態の間仕切壁構造Ｂは、例えば鉄骨造の建物の内部空間Ｈを区画する耐火壁であり、図１及び図２に示すように、Ｈ形鋼である上部梁（上部構造部材）１の下面に取り付けた上部ランナー１０と、上部梁１との間で内部空間Ｈを形成する下部スラブ（下部構造部材）３に取り付けた下部ランナー４と、上端部５ａを上部ランナー１０に、下端部５ｂを下部ランナー４に支持させ、横方向に間隔をあけて並設された複数のスタッド５と、建物の内部空間Ｈを区画する間仕切壁パネル７、８とを備えて構成されている。
【００１７】
また、図２に示すように、上部ランナー１０と下部ランナー４は断面コ字状に形成されている。そして、上部ランナー１０は、一対の側部１０ａ、１０ｂの先端に開口する開口部を下方に向け、上方に配された背面部１０ｃと上部梁１の間に断熱材（ロックウール）１１を介装した状態で上部梁１に取り付けられている。また、下部ランナー４は、一対の側部４ａ、４ｂの先端に開口する開口部を上方に向け、下方に配された背面部４ｃを下部スラブ３に固着して設けられている。
【００１８】
スタッド５は、図１及び図２に示すように、柱状に形成され、その下端部５ｂを下部ランナー４に上方を向く開口部から嵌合させるとともに固着し、上端部５ａを上部ランナー１０に下方を向く開口部から嵌合させて設けられている。また、スタッド５は、上端部５ａと上部ランナー１０の背面部１０ｃとの上下方向の間に所定の大きさの隙間Ｔをあけて設置されている。
【００１９】
ここで、スタッド５の上端部５ａと上部ランナー１０の背面部１０ｃの間の隙間Ｔの大きさｔ１は、例えば建物に作用する積雪荷重など、予め想定した外力に基づいて上部梁（上部構造部材）１の変形量を求め、この変形量に応じて設定されている。そして、本実施形態では、図２に示すように、上部ランナー１０が側部１０ａ、１０ｂの長さｔ２、すなわち側部１０ａ、１０ｂの先端から背面部１０ｃまでの長さｔ２を例えば７０ｍｍにして形成され、この上部ランナー１０に嵌合させた状態で、スタッド５の上端部５ａから背面部１０ｃまでの前記隙間Ｔの大きさｔ１を例えば１５ｍｍに設定している。
【００２０】
間仕切壁パネル７、８は、珪酸カルシウム板や石膏板などの下張り板１２と上張り板１３を積層して形成されている。また、間仕切壁パネル７、８（下張り板１２と上張り板１３）は、図１に示すように、ビス６で止めるなどして複数のスタッド５に取り付けられている。このとき、複数のスタッド５を間にして、複数のスタッド５の一側面側と他側面側にそれぞれ間仕切壁パネル７、８が設置され、これら間仕切壁パネル７、８によって建物の内部空間Ｈが区画される。
【００２１】
また、間仕切壁パネル７、８は、上部ランナー１０にはビス止めで固定されていない。さらに、図２に示すように、上端部５ａと上部梁１の間に隙間Ｔをあけてスタッド５を取り付けた状態において、上部ランナー１０の側部１０ａ、１０ｂの先端から下方に少なくとも前記隙間Ｔ（本実施形態では１５ｍｍ）と同じ高さ位置範囲ｔ３には、間仕切壁パネル７、８をビス止めしていない。また、間仕切壁パネル７、８は、上端７ａ、８ａと上部梁１の下面の上下方向の間に、スタッド５の上端部５ａと上部ランナー１０の背面部１０ｃとの間の隙間ｔ１と同じ大きさの隙間ｔ４をあけて（すなわち、本実施形態では１５ｍｍの隙間ｔ４をあけて）配設されている。そして、この間仕切壁パネル７、８の上端７ａ、８ａと上部梁１の下面の間には、耐火シール１４が施されている。
【００２２】
さらに、本実施形態の間仕切壁構造Ｂは、図１及び図３に示すように、上端部１５ａ、１６ａを開口部から嵌合して上部ランナー１０に固設した柱状の補強・位置決め部材１５、１６を備えている。また、各スタッド５に対して一対の補強・位置決め部材１５、１６が設けられ、これら一対の補強・位置決め部材１５、１６は、各スタッド５の上端部５ａ側及び前記隙間Ｔを挟み込むようにして配設されている。
【００２３】
次に、上記構成からなる本実施形態の間仕切壁構造Ｂの作用及び効果について説明する。
【００２４】
例えば外力である積雪荷重が建物に作用すると、上部梁１（や下部スラブ３）に積雪荷重の大きさに応じた量の撓みが発生する。そして、本実施形態では、このとき、スタッド５の上端部５ａから上部ランナー１０の背面部１０ｃの上下方向の間に、予め想定した積雪荷重の外力の大きさに基づいて、その大きさｔ１を設定した隙間Ｔが設けられている。
【００２５】
このため、上部梁１に撓みが発生した場合には、前記隙間Ｔを小さくする方向に上部ランナー１０とスタッド５が相対変位することになり（図２の矢印Ｒ）、上部梁１の撓みを前記隙間Ｔによって吸収する。これにより、従来のように、上部梁１に撓みが発生した際に、スタッド５に座屈が生じたり、これに伴い間仕切壁パネル７、８に損傷が生じることがない。
【００２６】
さらに、本実施形態では、上部ランナー１０に固定し、スタッド５の上端部５ａ側及び前記隙間Ｔを挟み込むように一対の補強・位置決め部材１５、１６が設置されている。このため、スタッド５の上端部５ａと上部ランナー１０の間に隙間Ｔを設け、スタッド５が上部ランナー１０に固定されていない場合であっても、この部分が一対の補強・位置決め部材１５、１６で補強されている。また、上部梁１に撓みが発生した際に一対の補強・位置決め部材１５、１６を設けることによってスタッド５がズレることもない。
【００２７】
したがって、本実施形態の間仕切壁構造Ｂによれば、例えば積雪荷重が作用して、上部梁１（や下部スラブ３）に撓みが発生した場合に、スタッド５の上端部５ａと上部ランナー１０との上下方向の間に隙間Ｔが設けられているため、この隙間Ｔの分だけスタッド５と上部ランナー１０の相対移動を許容することができ、前記隙間Ｔによって撓みを吸収することができる。これにより、スタッド５が座屈し間仕切壁パネル７、８に破損が生じることを防止できるともに、間仕切壁Ｂの仕上げの納まりに悪影響を及ぼすことを防止できる。
【００２８】
また、例えば積雪荷重など、予め想定した外力に基づいて上部梁１の変形量を求め、この変形量に応じて前記隙間Ｔの大きさを設定することにより、より確実に、スタッド５が座屈し間仕切壁パネル７、８に破損が生じることを防止でき、また、間仕切壁Ｂの仕上げの納まりに悪影響を及ぼすことを防止できる。
【００２９】
さらに、上部ランナー１０に固定し、スタッド５の上端部５ａ側及び前記隙間Ｔを挟み込むように一対の補強・位置決め部材１５、１６を設置することで、スタッド５の上端部５ａと上部ランナー１０の間に隙間Ｔを設けてスタッド５を上部ランナー１０に固定していない場合であっても、この部分を補強し、且つ一対の補強・位置決め部材１５、１６によってスタッド５のズレを止めることができる。これにより、前記隙間Ｔによって上部梁１や下部スラブ３の撓みを確実に吸収することが可能になる。
【００３０】
以上、本発明に係る間仕切壁構造の一実施形態について説明したが、本発明は上記の一実施形態に限定されるものではなく、その趣旨を逸脱しない範囲で適宜変更可能である。
【００３１】
例えば、本実施形態では、上部構造部材が上部梁１、下部構造部材が下部スラブ３であるものとしたが、本発明にかかる上部構造部材は、天井、屋根スラブなどであってもよく、梁に限定されるものではない。また、下部構造部材もスラブに限定する必要はない。そして、図４に示すように、例えば、上部構造部材が、梁（屋根スラブ）１７に吊り材で吊り下げ支持された天井下地部材（天井下地梁）１である場合には、積雪荷重が作用して梁１７が撓むと同時に天井下地部材１が同等の量で撓んで下がる。このため、天井下地部材１に上部ランナー１０を取り付け、所定の大きさの隙間Ｔをあけてスタッド５を嵌合して設置しておくことで、本実施形態と同様に、梁１７、天井下地部材１の撓みを吸収することができる。また、このように上部構造部材１が天井（天井構成部材）である場合には、例えば積雪の有無で天井の位置が変わるため、間仕切壁構造Ｂの間仕切壁パネル７、８を天井に貫通して設置するようにしておくことが必要であり、また、塗装仕上げの場合は、先行して間仕切壁構造Ｂに塗装を施すことが必要になる。
【符号の説明】
【００３２】
１      上部構造部材（上部梁、天井下地梁）
２      上部ランナー
３      下部構造部材（下部スラブ）
４      下部ランナー
４ａ    側部
４ｂ    側部
４ｃ    背面部
５      スタッド
５ａ    上端部
５ｂ    下端部
６      ビス
７      間仕切壁パネル
７ａ    上端
８      間仕切壁パネル
８ａ    上端
１０    上部ランナー
１０ａ  側部
１０ｂ  側部
１０ｃ  背面部
１１    断熱材（ロックウール）
１２    下張り板
１３    上張り板
１４    耐火シール
１５    補強・位置決め部材
１５ａ  上端部
１６    補強・位置決め部材
１６ａ  上端部
１７    梁（屋根スラブ）
Ａ      従来の間仕切壁構造
Ｂ      間仕切壁構造
Ｈ      内部空間
Ｔ      隙間
【図１】
2012251394.tif 000003
【図２】
2012251394.tif 000004
【図３】
2012251394.tif 000005
【図４】
2012251394.tif 000006
【図５】
2012251394.tif 000007